(57)【要約】      （修正有）【課題】キャップ部材をパイプ状部分の先端に溶着や接着等の非可逆的な固着手段を用いずに確実に固着できる係止用パイプを提供する。【解決手段】パイプ状部分に上下に貫通するネジ孔を有する中実のキャップ部材が挿嵌され、ネジ孔の下部には止めネジがパイプ状部分の下部を押圧するように螺入されることによりキャップ部材がパイプ状部分に固着され、さらに上面にダボピンが螺入される。【選択図】図１
0003164505.tif 000002
【実用新案登録請求の範囲】
【請求項１】
パイプの先端部分に中実のキャップ部材を挿嵌固定し該先端部分の上面にダボピンを固着して物品や棚板を係止できるようにした係止用パイプであって、パイプの先端部分に上下に貫通するネジ孔を有する中実のキャップ部材が挿嵌され、キャップ部材のネジ孔の下部には止めネジが螺入されて該止めネジの下端がパイプの先端部分の下面の内側を押圧することによりキャップ部材の胴部が上方に付勢されてキャップ部材の胴部の上面がパイプの先端部分の上面の内側を押圧することによりキャップ部材の胴部がパイプの先端部分に固着され、パイプの先端部分の上面にはキャップ部材のネジ孔に位置を合わせて円孔が穿設されており、下部がネジ軸となっているダボピンの下部のネジ軸が該円孔に挿通されキャップ部材のネジ孔に螺着されることによりダボピンの上部がパイプの先端部分の上面に突出されていることを特徴とする係止用パイプ。
【考案の詳細な説明】
【技術分野】
【０００１】
本考案は、先端部分に中実のキャップ部材を挿嵌固定し該先端部分の上面にダボピンを固着して物品や棚板を係止できるようにした係止用パイプに関するものであり、さらに詳しくは、次の構成の係止用パイプに関するものである。
＜構成１＞
パイプの先端部分に中実のキャップ部材を挿嵌固定し該先端部分の上面にダボピンを固着して物品や棚板を係止できるようにした係止用パイプであって、パイプの先端部分に上下に貫通するネジ孔を有する中実のキャップ部材が挿嵌され、キャップ部材のネジ孔の下部には止めネジが螺入されて該止めネジの下端がパイプの先端部分の下面の内側を押圧することによりキャップ部材の胴部が上方に付勢されてキャップ部材の胴部の上面がパイプの先端部分の上面の内側を押圧することによりキャップ部材の胴部がパイプの先端部分に固着され、パイプの先端部分の上面にはキャップ部材のネジ孔に位置を合わせて円孔が穿設されており、下部がネジ軸となっているダボピンの下部のネジ軸が該円孔に挿通されキャップ部材のネジ孔に螺着されることによりダボピンの上部がパイプの先端部分の上面に突出されていることを特徴とする係止用パイプ。
【背景技術】
【０００２】
従来から、壁面パネルに固定される係止用パイプで、先端部分に中実のキャップ部材を挿嵌固定し先端部分の上面にダボピンを固着して物品や棚板を係止できるようにした係止用パイプは存在した。このような係止用パイプの先端部分の構成の一例を挙げれば図７に示すとおりである。
【０００３】
図７において、ｐは係止用パイプｆの先端部分のパイプ状部分であり、ｃｐは上面にネジ孔ｈcを有するキャップ部材である。キャップ部材ｃｐの正面はフランジｃｐ1となっていて、胴部ｃｐ2がパイプ状部分ｐに挿嵌された場合にフランジｃｐ1はパイプ状部分ｐの正面に挿嵌されることなく露出されるように構成されている。
【０００４】
キャップ部材ｃｐに設けられているネジ孔ｈcは、図７ｃに見るようにキャップ部材ｃｐの上面から直径の約半分程度の深さまで穿設されている状態で、ネジ孔ｈcは非貫通ネジ孔の状態である。したがって、図７ｂに見るように、キャップ部材ｃｐの下面にはネジ孔ｈcは現われていない。
【０００５】
図７aに見るように、キャップ部材ｃｐはパイプ状部分ｐの正面に挿嵌されるが、この際、キャップ部材のネジ孔ｈcとパイプ状部分ｐの上面に穿設された円孔ｈpがぴったり重なるように挿嵌が行われる。そして、この円孔ｈpにダボピンｄｐの下部のネジ軸が挿通され、さらにキャップ部材ｃｐのネジ孔ｈcに螺着されて図７ｃのように係止用パイプｆの先端部分の構成が完成する。この際、ダボピンｄｐの上部の下端部分はキャップ部材のネジ孔ｈcの上端部に設けられた段部ｄに当接して安定するように構成されている。
【０００６】
しかしながら、ダボピンｄｐが円孔ｈpに挿通されキャップ部材ｃｐのネジ孔ｈcに螺入されることによってダボピンｄｐはパイプ状部分ｐとキャップ部材ｃｐを固定してはいるものの、キャップ部材ｃｐがパイプ状部分ｐの正面に挿嵌されているだけの状態なので、挿嵌状態が緩めばダボピンｄｐの固定状態にガタツキが生じる。ダボピンｄｐは物品を係止したり棚板を係止したりするので、場合によってはかなりの荷重がかかることもあり、ダボピンｄｐが不安定になると、係止用パイプｆ自体が用をなさなくなる。
【０００７】
このような状態を避けるために、従来は、キャップ部材ｃｐをパイプ状部分ｐの正面に挿嵌する際に、キャップ部材ｃｐの胴部ｃｐ２に接着剤を塗ってから挿嵌したり、あるいは挿嵌後、キャップ部材ｃｐのフランジｃｐ1の周囲とパイプ状部分ｐとの接合面を溶着、さらには溶着面の研磨仕上げという工程が行われてきた。
【０００８】
しかし、接着であれ溶着であれ、そのために余分な手数と時間を要する。また、一旦接着あるいは溶着してしまうと分解できないので、たとえば係止用パイプｆの長さをもう少し短くしたい時などにも対応ができない。あるいは、リサイクル時に、パイプ状部分ｐが金属製でキャップ部材ｃｐがプラスチック製など異種材料の場合にリサイクルできない等の問題が生じた。したがって、接着や溶着の手間を省き、さらには任意に分解と再組立が可能で、リサイクル時にも問題の生じない構成が希求されてきた。
【先行技術文献】
【特許文献】
【０００９】
特許庁電子図書館にて先行文献の調査を行ったが、壁面パネルに固定される係止用パイプで、先端部分に中実のキャップ部材を挿嵌固定して先端部分の上面にダボピンを固着して物品や棚板を係止できるようにした係止用パイプの先端部分の構成に関する文献は発見されなかったので、近いものとして、乾燥機台の脚部分のパイプにキャップを嵌合させる構成を開示したもの（下記特許文献１）及びパイプ式陳列棚において、ブラケットとパイプを連結させる部分にパイプにキャップを嵌合させる構成を開示したもの（下記特許文献２）を掲げておく。
【特許文献１】特開平９−２９９１７０号公報
【特許文献２】特開平１１−１８８８７号公報
【考案の概要】
【考案が解決しようとする課題】
【００１０】
上記より、本考案が解決しようとする課題は、次のとおりとなる。すなわち、物品や棚板を係止する係止用パイプで、先端部分に中実のキャップ部材を挿嵌固定して先端部分の上面にダボピンを固着して物品や棚板を係止できるようにした係止用パイプの先端部分の構成において、キャップ部材をパイプ状部分の先端に溶着や接着等の非可逆的な固着手段を用いることなく確実に固着できる構成を開発する。
【課題を解決するための手段】
【００１１】
本考案は、上記課題を解決するためになされたものであり、以下に示す解決手段を提供する。
＜解決手段１＞
パイプの先端部分に中実のキャップ部材を挿嵌固定し該先端部分の上面にダボピンを固着して物品や棚板を係止できるようにした係止用パイプであって、パイプの先端部分に上下に貫通するネジ孔を有する中実のキャップ部材が挿嵌され、キャップ部材のネジ孔の下部には止めネジが螺入されて該止めネジの下端がパイプの先端部分の下面の内側を押圧することによりキャップ部材の胴部が上方に付勢されてキャップ部材の胴部の上面がパイプの先端部分の上面の内側を押圧することによりキャップ部材の胴部がパイプの先端部分に固着され、パイプの先端部分の上面にはキャップ部材のネジ孔に位置を合わせて円孔が穿設されており、下部がネジ軸となっているダボピンの下部のネジ軸が該円孔に挿通されキャップ部材のネジ孔に螺着されることによりダボピンの上部がパイプの先端部分の上面に突出されていることを特徴とする係止用パイプ。
【考案の効果】
【００１２】
パイプの先端部分に中実のキャップ部材を挿嵌固定し該先端部分の上面にダボピンを固着して物品や棚板を係止できるようにした係止用パイプであって、パイプの先端部分に上下に貫通するネジ孔を有する中実のキャップ部材が挿嵌され、キャップ部材のネジ孔の下部には止めネジが螺入されて該止めネジの下端がパイプの先端部分の下面の内側を押圧することによりキャップ部材の胴部が上方に付勢されてキャップ部材の胴部の上面がパイプの先端部分の上面の内側を押圧することによりキャップ部材の胴部がパイプの先端部分に固着され、パイプの先端部分の上面にはキャップ部材のネジ孔に位置を合わせて円孔が穿設されており、下部がネジ軸となっているダボピンの下部のネジ軸が該円孔に挿通されキャップ部材のネジ孔に螺着されることによりダボピンの上部がパイプの先端部分の上面に突出されているので、キャップ部材はパイプ状部分に確実に固着されるにもかかわらず、分解が容易であり、且つ組立てに接着や溶着等の非可逆的手段を用いないので簡便で手間がかからず、時間的にも所要時間が短縮される。また、現場にて係止用パイプの長さを短縮する必要が生じた際にも適宜対応が可能となる。さらに、パイプとキャップ部材が例えば金属とプラスチックというように異種の素材からなっている場合にても、分解すればリサイクルには全く問題なく対応可能である。
【図面の簡単な説明】
【００１３】
【図１】（ａ）本考案の実施例１の係止用パイプの先端部分の左側面図である。（ｂ）本考案の実施例１の係止用パイプの先端部分の要部の縦断面図である。
【図２】（ａ）本考案の実施例１の係止用パイプの組付構成を説明する説明図である。（ｂ）本考案の実施例１の係止用パイプの組付構成を説明する説明図である。（ｃ）本考案の実施例１の係止用パイプのキャップ部材の外観斜視図である。
【図３】（ａ）本考案の実施例１の係止用パイプの組付構成を説明する説明図である。（ｂ）本考案の実施例１の係止用パイプの組付構成を説明する説明図である。
【図４】（ａ）本考案の実施例１の係止用パイプの使用状態の一例を説明する説明図である。（ｂ）本考案の実施例１の係止用パイプの使用状態の他の一例を説明する説明図である。
【図５】（ａ）本考案の実施例２の係止用パイプの組付構成を説明する説明図である。（ｂ）本考案の実施例２の係止用パイプの組付構成を説明する説明図である。（ｃ）本考案の実施例２の係止用パイプの先端部分の外観斜視図である。
【図６】（ａ）本考案の実施例３の係止用パイプの組付構成を説明する説明図である。（ｂ）本考案の実施例３の係止用パイプの組付構成を説明する説明図である。    （ｃ）本考案の実施例３の係止用パイプの先端部分の外観斜視図である。
【図７】（ａ）従来の係止用パイプの組付構成を説明する説明図である。（ｂ）従来の係止用パイプのキャップ部材の外観斜視図である。（ｃ）従来の係止用パイプの先端部分の要部の縦断面図である。
【考案を実施するための形態】
【００１４】
本考案を実施するための形態を、図面を参照しながら詳細に説明する。
【実施例１】
【００１５】
＜実施例１の構成＞
本考案の実施例１の係止用パイプＦは、壁面ＷＰ（図４参照）に固定される係止用パイプで、先端部分１がパイプ状になっており、先端部分１に中実のキャップ部材２を挿嵌固定し、先端部分１の上面にダボピン３を固着して物品や棚板（図示せず）を係止できるように構成されている。パイプＰの先端部分１のパイプ状部分１１に上下に貫通するネジ孔２１を有する中実のキャップ部材２が挿嵌され、キャップ部材２のネジ孔２１の下部には止めネジ４が螺入されて該止めネジ４の下端がパイプ状部分１１の下面１１ｂの内側を押圧する（力Ｆａ）ことによりキャップ部材２全体が上方に付勢されて（力Ｆｂ）キャップ部材２の上面２２ａがパイプ状部分１１の上面１１ａの内側を押圧することによりキャップ部材２全体がパイプ状部分１１に固着され、パイプ状部分１１の上面１１ａにはキャップ部材２のネジ孔２１に位置を合わせて円孔１１ｃが穿設されており、下部３２がネジ軸となっているダボピン３の下部３２のネジ軸が該円孔１１ｃに挿通されキャップ部材２のネジ孔２１に螺着されることによりダボピン３の上部３１がパイプ状部分１１の上面１１ａに突出されている。また、キャップ部材２のネジ孔２１の上端部にダボピン３の上部３１を受けるための段部ｄが形成されている。
【００１６】
キャップ部材２は全体が円柱形状で、胴部２２の正面に、胴部２２の半径Ｒ２２より一回り大きい半径Ｒ２３を有するフランジ２３が胴部２２と一体に設けられている。図１ｂに見るように、胴部２２の半径Ｒ２２はパイプ状部分１１の内周半径Ｒ１２よりわずかに小であり、フランジ２３の半径Ｒ２３はパイプ状部分１１の外周半径Ｒ１１に等しい。したがって、キャップ部材２の胴部２２はパイプ状部分１１に嵌合され、フランジ２３の外周はパイプ状部分１１の外周と面一となる。
【００１７】
図２〜図３に、係止用パイプＦの先端部分１の組付構成を示す。まず、パイプ状部分１１の正面にキャップ部材２の胴部２２を挿嵌する。この際、キャップ部材２のネジ孔２１の上面とパイプ状部分１１の上面１１ａに穿設されている円孔１１ｃがぴったりと重なるように挿嵌する。
【００１８】
次に、図２ｂに見るように、円孔１１ｃ、ネジ孔２１に止めネジ４を螺入する。この際、図１ｂに見るように、止めネジ４をネジ孔２１の最下部まで螺入し、さらに止めネジ４を回転させてパイプ状部分１１の下面１１ｂを止めネジ４の先端部分で強く押圧する（力Ｆａ）。こうすることにより、キャップ部材２の上面２２ａはパイプ状部分１１の上面１１ａの内側に強く押圧され（力Ｆｂ）、これによってキャップ部材２はパイプ状部分１１に強く圧着される。なお、図２ｃはキャップ部材２の胴部２２にネジ孔２１が上面２２ａから下面２２ｂに至るまで貫設されている状態を示すものである。
【００１９】
次に、図３ａに示すように、円孔１１ｃ、ネジ孔２１にダボピン３の下部３２を挿通及び螺入する。ダボピン３は上部３１の下面がネジ孔２１の上面に刻切された段部ｄに係止されたところで停止され（図１ｂ参照）、ダボピン３の螺着が完了する。このようにして全工程が終了して、図３ｂに示す状態となる。なお、分解は以上の逆を行う。
【００２０】
図４ａは係止用パイプＦ１（Ｆ）の全体を示したものである。係止用パイプＦ１はパイプＰの後端部に、壁面ＷＰ１（ＷＰ）に形成された挿入口Ｓに挿入される係止板Ｔが固着されており、係止板Ｔを挿入口Ｓに挿入固定して使用される。あるいは、パイプＰの後端部がビス孔ｈ、ｈ、ｈ、ｈを有する螺着板ＲＴになっている係止用パイプＦ２（Ｆ）においては、螺着板ＲＴを壁面ＷＰ２（ＷＰ）の任意の位置に当接させてビス孔ｈ、ｈ、ｈ、ｈに固定ビスＢｔ，Ｂｔ，Ｂｔ，Ｂｔを螺入させ螺着する。
【実施例２】
【００２１】
図５に示す実施例２は、係止用パイプＧの先端部分５において、パイプ状部分５１とキャップ部材６が正面視で楕円形状になっている例であり、止めネジ４とダボピン３は実施例１と同一である。また、パイプ状部分５１の円孔５１ｃは実施例１のパイプ状部分１１の円孔１１ｃと略同様の構成であり、キャップ部材６のネジ孔６１は実施例１のキャップ部材２のネジ孔２１と略同様の構成である。
【００２２】
実施例２の係止用パイプＧの先端部分５の組付構成も実施例１の係止用パイプＦの先端部分１の組付構成と同様の手順となる。すなわち、キャップ部材６をパイプ状部分５１の正面に嵌着させ、しかるのちに円孔５１ｃ、ネジ孔６１に止めネジ４をパイプ状部分５１の下面５１ｂを押圧するように螺入する。これにてキャップ部材６の上面６２ａがパイプ状部分５１の上面５１ａを内側から押圧することによりキャップ部材６はパイプ状部分５１に固着されるので、この状態でダボピン３を円孔５１ｃ、ネジ孔６１に螺入固着させて（図５ｂ）完成となる（図５ｃ）。
【実施例３】
【００２３】
実施例３は、係止用パイプＫの先端部分７において、パイプ状部分７１とキャップ部材８が正面視で正方形状になっている例であり、止めネジ３とダボピン４は実施例１と同一である。また、パイプ状部分７１の円孔７１ｃは実施例１のパイプ状部分１１の円孔１１ｃと略同様の構成であり、キャップ部材８のネジ孔８１は実施例１のキャップ部材２のネジ孔２１と略同様の構成である。
【００２４】
実施例３の係止用パイプＫの先端部分７の組付構成も実施例１の係止用パイプＦの先端部分１の組付構成と同様の手順となる。すなわち、キャップ部材８をパイプ状部分７１の正面に嵌着させ、しかるのちに円孔７１ｃとネジ孔８１に止めネジ４をパイプ状部分７１の下面７１ｂを押圧するように螺入する。これにてキャップ部材８の上面８２ａがパイプ状部分７１の上面７１ａを内側から押圧することによりキャップ部材８はパイプ状部分７１に固着されるので、この状態でダボピン３を円孔７１ｃ、ネジ孔８１に螺入固着させて（図６ｂ）完成となる（図６ｃ）。
【産業上の利用可能性】
【００２５】
本考案の係止用パイプは、先端部分のキャップ部材の固着において、溶着や接着を使用せず止めネジによる螺着でこれを行っており、分解組立が単純で手間がかからず、また現場で係止用パイプ全体の長さを短縮する等の事態にも円滑に対応が可能である。さらにはリサイクルにも完全対応可能である。係止用パイプは店舗や家庭にて多く使用されているものであるから、産業上の利用可能性は大きいと考えられる。
【符号の説明】
【００２６】
１        先端部分
１１      パイプ状部分
１１ａ    上面
１１ｂ    下面
１１ｃ    円孔
２        キャップ部材
２１      ネジ孔
２２      胴部
２２ａ    上面
２２ｂ    下面
２３      フランジ
３        ダボピン
３１      上部
３２      下部
４        止めネジ
５        先端部分
５１      パイプ状部分
５１ａ    上面
５１ｂ    下面
５１ｃ    円孔
６        キャップ部材
６１      ネジ孔
６２ａ    上面
７        先端部分
７１      パイプ状部分
７１ａ    上面
７１ｂ    下面
７１ｃ    円孔
８        キャップ部材
８１      ネジ孔
８２ａ    上面
Ｂｔ      固定ビス
Ｆ        係止用パイプ
Ｆ１      係止用パイプ
Ｆ２      係止用パイプ
Ｆａ      力
Ｆｂ      力
Ｇ        係止用パイプ
Ｋ        係止用パイプ
Ｐ        パイプ
Ｒ１１    外周半径
Ｒ１２    内周半径
Ｒ２２    半径
Ｒ２３    半径
ＲＴ      螺着板
Ｓ        挿入口
Ｔ        係止板
ＷＰ      壁面
ＷＰ１    壁面
ＷＰ２    壁面
ｃｐ      キャップ部材
ｃｐ１    フランジ
ｃｐ２    胴部
ｄ        段部
ｄｐ      ダボピン
ｆ        係止用パイプ
ｈ        ビス孔
ｈｃ      ネジ孔
ｈｐ      円孔
ｐ        パイプ状部分
【図１】
0003164505.tif 000003
【図２】
0003164505.tif 000004
【図３】
0003164505.tif 000005
【図４】
0003164505.tif 000006
【図５】
0003164505.tif 000007
【図６】
0003164505.tif 000008
【図７】
0003164505.tif 000009